(57)【要約】      （修正有）【課題】容易に操作・使用できるポータブル電子製品保護ケースの固定装置を提供する。【解決手段】弾性を有し、伸びることで収容空間を増加し、ポータブル電子製品を固定するための弾性カバー１と、弾性カバー１の一側に接続され、かつ、弧状の回転可能なブラケット２１が設けられ、弧状の両端にそれぞれ凸フック及び定位部を有する接続部品２と、伸び弾性を有し、位置制限穴及び複数の係止用穴を有する結束バンド３とを含むポータブル電子製品保護ケースの固定装置であって、結束バンド３が位置制限穴によって定位部にかけて、凸フックを１つの係止用穴に入れることで、ブラケット２１を利用し、結束バンド３を乗り物にしっかり巻き付けて固定する。それにより、ポータブル電子製品を簡単、速やかに乗り物に固定できる。【選択図】図１
0003230586.tif 000002
【実用新案登録請求の範囲】
【請求項１】
弾性を有し、伸びることで収容空間を増加し、かつ、一体成形した支持部、複数の弾性条、及び複数の角部保護網からなり、前記支持部は、互いに反対向きの第１表面及び第２表面を有し、前記第１表面は、ポータブル電子製品を置くために用いられ、前記角部保護網は、前記弾性条を介して前記支持部に接続され、複数の前記角部保護網で前記ポータブル電子製品の四隅を締めて、前記弾性条によって固定時のきつさを維持する弾性カバーと、
前記弾性カバーに取り付けられ、前記第２表面側に位置し、弧状の回転可能なブラケットを有し、前記弧状の両端にそれぞれ凸フック及び定位部を有する接続部品と、
弾性を有し、伸びる可能で、位置制限穴及び複数の係止用穴を有する結束バンドと、を含むポータブル電子製品保護ケースの固定装置であって、
前記結束バンドが前記位置制限穴によって前記定位部にかけて、前記凸フックを１つの前記係止用穴に入れることで、前記ブラケットを利用し、前記結束バンドを乗り物に巻き付けて固定することを特徴とする、ポータブル電子製品保護ケースの固定装置。
【請求項２】
前記支持部に第１穴を有し、前記ブラケットの中間位置に第２穴を有し、
前記接続部品は、インサート及び係止部をさらに有し、
前記インサート及び前記ブラケットは、それぞれ前記支持部の前記第１表面及び前記第２表面に位置し、
前記係止部は、前記第２穴及び前記第１穴を通って前記インサートに係止され、かつ、前記ブラケットの位置を制限するが、前記ブラケットの回転を妨げないことを特徴とする、請求項１に記載のポータブル電子製品保護ケースの固定装置。
【請求項３】
前記支持部は、さらに前記第１表面に凹部を形成し、
前記インサートは、前記凹部内に設けられ、
前記第１穴は、前記凹部内に貫通することを特徴とする、請求項１に記載のポータブル電子製品保護ケースの固定装置。
【請求項４】
前記凹部は、さらに凹む複数の位置制限溝を形成し、
前記インサートにおける前記凹部に対向する方向に複数のリブを有し、
組立後に前記リブが前記位置制限溝内に位置することを特徴とする、請求項１に記載のポータブル電子製品保護ケースの固定装置。
【請求項５】
前記インサートは、中心にネジ穴を有する接続部を有し、
前記ブラケットは、軸部を有し、
前記第２穴は、前記軸部を貫通し、
組立時に前記接続部と前記軸部とは接続され、
前記係止部は、ねじであり、前記第２穴を通って前記ネジ穴に係止され、
これにより、前記ブラケットが前記インサートから離れないように回転できることを特徴とする、請求項１に記載のポータブル電子製品保護ケースの固定装置。
【請求項６】
前記弾性条は、条状又は網状となることを特徴とする、請求項１に記載のポータブル電子製品保護ケースの固定装置。
【請求項７】
前記結束バンドは、前記位置制限穴と前記結束バンドの周縁との間に位置する滑り止め部を有し、
前記定位部が前記位置制限穴に位置する場合に、前記滑り止め部が前記ブラケットの弧状内壁に位置し、巻き付ける時に前記結束バンドによって前記乗り物を包むことを特徴とする、請求項１に記載のポータブル電子製品保護ケースの固定装置。
【考案の詳細な説明】
【技術分野】
【０００１】
本考案は、ポータブル電子製品保護ケースに関し、特に、保護ケースを簡単に自転車やバイクに取り付ける固定装置に関する。
【背景技術】
【０００２】
アウトドアスポーツが流行っている現在は、ポータブル電子製品が生活に欠かせない用品となっている。例えば、携帯電話、衛星ナビゲーション等を使用することにより、使用者は自転車、バイク等の乗り物を利用して知らない環境で自由に移動し、大自然で快適に走ることができる。この場合、ポータブル電子製品の使用の便利さを向上させるために、固定装置を利用してポータブル電子製品を簡単に自転車又はバイクに固定することが必要である。
【考案の概要】
【考案が解決しようとする課題】
【０００３】
上記問題を解決するために、本考案は、ポータブル電子製品保護ケースの固定装置を提供することを主な目的とする。
【０００４】
前記目的を達成するために、本考案は、以下の技術的な特徴を開示している。
【課題を解決するための手段】
【０００５】
本考案に係るポータブル電子製品保護ケースの固定装置は、弾性を有し、伸びることで収容空間を増加し、かつ、一体成形した支持部、複数の弾性条、及び複数の角部保護網からなり、前記支持部は、互いに反対向きの第１表面及び第２表面を有し、前記第１表面は、ポータブル電子製品を置くために用いられ、前記角部保護網は、前記弾性条を介して前記支持部に接続され、複数の前記角部保護網で前記ポータブル電子製品の四隅を締めて、前記弾性条によって固定時のきつさを維持する弾性カバーと、前記弾性カバーに取り付けられ、前記第２表面側に位置し、弧状の回転可能なブラケットを有し、前記弧状の両端にそれぞれ凸フック及び定位部を有する接続部品と、弾性を有し、伸びる可能で、位置制限穴及び複数の係止用穴を有する結束バンドとを含み、前記結束バンドが前記位置制限穴によって前記定位部にかけて、前記凸フックを１つの前記係止用穴に入れることで、前記ブラケットを利用し、前記結束バンドを乗り物に巻き付けて固定する。
【０００６】
本考案の好ましい実施例においては、前記支持部に第１穴を有し、前記ブラケットの中間位置に第２穴を有し、前記接続部品は、インサート及び係止部をさらに有し、前記インサート及び前記ブラケットは、それぞれ前記支持部の前記第１表面及び前記第２表面に位置し、前記係止部は、前記第２穴及び前記第１穴を通って前記インサートに係止され、かつ、前記ブラケットの位置を制限するが、前記ブラケットの回転を妨げない。
【０００７】
本考案の好ましい実施例においては、前記支持部は、さらに前記第１表面に凹部を形成し、前記インサートは、前記凹部内に設けられ、前記第１穴は、前記凹部内に貫通する。
【０００８】
本考案の好ましい実施例においては、前記凹部は、さらに凹む複数の位置制限溝を形成し、前記インサートにおける前記凹部に対向する方向に複数のリブを有し、組立後に前記リブが前記位置制限溝内に位置する。
【０００９】
本考案の好ましい実施例においては、前記インサートは、中心にネジ穴を有する接続部を有し、前記ブラケットは、軸部を有し、前記第２穴は、前記軸部の中心を貫通し、組立時に前記接続部と前記軸部とは接続され、前記係止部は、ねじであり、前記第２穴を通って前記ネジ穴に係止され、これにより、前記ブラケットが前記インサートから離れないように回転できる。
【００１０】
本考案の好ましい実施例においては、前記角部保護網は、立体的に隆起する網状となり、かつ前記第１表面から突出する。
【００１１】
本考案の好ましい実施例においては、前記弾性条は、条状又は網状となる。
【００１２】
本考案の好ましい実施例においては、前記結束バンドは、前記位置制限穴と前記結束バンドの周縁との間に位置する滑り止め部を有し、前記定位部が前記位置制限穴に位置する場合に、前記滑り止め部が前記ブラケットの弧状内壁に位置し、これにより締付時の摩擦力を増加させる。
【考案の効果】
【００１３】
上記のように、本考案のポータブル電子製品保護ケースは、前記弾性カバーを伸びて前記ポータブル電子製品に覆い被せることで、容易に固定・使用する目的を達成することができる。また、前記接続部品を利用し、前記結束バンドを乗り物、例えば、バイクや自転車のハンドルバー又はその他のバー部等に巻き付けて固定すると、固定の便利さを向上させることができる。前記弾性カバーが前記接続部品に対して回転できることにより、ポータブル電子製品の見る位置が調整可能となり、容易に操作・使用する目的を達成することができる。
【図面の簡単な説明】
【００１４】
【図１】本考案におけるポータブル電子製品保護ケースの固定装置の斜視図である。
【図２】本考案におけるポータブル電子製品保護ケースの固定装置の側面図である。
【図３】本考案におけるポータブル電子製品保護ケースの固定装置の一部の部材の分解図である。
【図４】本考案におけるポータブル電子製品保護ケースの固定装置の分解図である。
【図５】本考案におけるポータブル電子製品保護ケースの固定装置を乗り物に取り付ける状態を示す斜視図である。
【図６】本考案におけるポータブル電子製品保護ケースの固定装置を乗り物に取り付けた状態を示す側面図である。
【図７】本考案におけるポータブル電子製品保護ケースの固定装置によってポータブル電子製品を固定する状態を示す図である。
【図８】本考案におけるポータブル電子製品保護ケースの固定装置にポータブル電子製品を固定した状態を示す斜視図である。
【考案を実施するための形態】
【００１５】
図１は、本考案におけるポータブル電子製品保護ケースの固定装置の斜視図である。本考案のポータブル電子製品保護ケースの固定装置は、弾性カバー１と、接続部品２と、結束バンド３とを含む。
【００１６】
以下、図１及び図２を参照しながら各部材の構造を詳しく説明する。
【００１７】
前記弾性カバー１は、弾性を有し、伸びることで収容空間を増加できるものである。本実施例において、前記弾性カバー１は、シリカゲル材料から一体成形してなり、かつ、支持部１１と、複数の弾性条１２と、複数の角部保護網１３とを含む。前記支持部１１は、互いに反対向きの第１表面１１１及び第２表面１１２を有する。前記第１表面１１１は、ポータブル電子製品５を置くために用いられる。前記接続部品２を前記第２表面１１２側に取り付けるために、前記第２表面１１２の一部は隆起状となる。前記支持部１１の周囲は、複数本の前記弾性条１２を介してそれぞれ対応する前記角部保護網１３に接続される。
【００１８】
前記弾性条１２は、本実施例においては条状であるが、網状であってもよい。前記弾性条１２は、弾性を有し、伸びることで伸長できる。前記角部保護網１３は、立体の三角形網状となり、かつ前記第１表面１１１から突出する。前記角部保護網１３は、弾性を有し、伸びることで拡大できる。本実施例において、前記角部保護網１３は、４つがあり、前記支持部１１の四隅に対称に位置する。
【００１９】
前記ポータブル電子製品５は、携帯電話であってもよく、その周囲に４つの角部５１を有する。ポータブル電子製品５を固定する時に、前記弾性条１２及び角部保護網１３を伸びて拡大し、前記角部保護網１３を前記角部５１に覆い被せて、弾性条１２の弾性回復力によって固定時のきつさを維持する。弾性条１２及び角部保護網１３が伸びれるため、適用サイズの範囲を大きくして、各種の携帯電話に適用できる。
【００２０】
図３、図４に示すように、前記接続部品２は、前記弾性カバー１に取り付けられ、前記第２表面１１２側に突出する。前記接続部品２は、弧状の回転可能なブラケット２１を有し、前記弧状の両端にそれぞれ凸フック２１１及び定位部２１２を有する。前記定位部２１２はＴ字形となる。前記凸フック２１１は、前記結束バンド３を巻いて固定するように、外向きに突出する逆鉤となる。
【００２１】
本実施例において、前記接続部品２が容易に組み立てられ、かつ前記ブラケット２１を回転させるために、前記支持部１１には、第１穴１１３を有し、前記ブラケット２１の中間位置には、第２穴２１３を有する。前記接続部品２は、インサート２２及び係止部２３をさらに有する。前記係止部２３は、ねじであり、ガスケット２４と合わせて利用されてもよい。組立時に、前記インサート２２及び前記ブラケット２１は、それぞれ前記支持部１１の前記第１表面１１１及び前記第２表面１１２に位置する。前記係止部２３は、前記第２穴２１３及び前記第１穴１１３を通って前記インサート２２に係止され、かつ、前記ブラケット２１の位置を制限するが、前記ブラケット２１の回転を妨げない。
【００２２】
組立後の外観のために、前記支持部１１１は、さらに前記内表面１１１に凹部１４を形成する。前記凹部１４内は、さらに凹む複数の位置制限溝１４１を形成する。前記凹部１４のサイズ及び形状は、前記インサート２２に対応する。前記インサート２２は、円盤状となり、かつ前記ブラケット２１に対向する方向に複数のリブ２２１及び接続部２２２を突出する。前記接続部２２２の中心には、ネジ穴２２３を有する。組立時に、前記リブ２２１が前記位置制限溝１４１に位置することで、前記インサート２と前記弾性カバー１とを同時に作動させる。
【００２３】
前記ブラケット２１は、前記弾性カバーに対向する方向に軸部２１４をさらに有する。前記第２穴２１３は、前記軸部１４の中心に貫通する。組立時に、前記接続部２２２と前記軸部２１４とは接続され、前記係止部２３が前記第２穴２１及び第１穴１１３を通って前記ネジ穴２２３に係止され。これにより、前記ブラケット２１が前記インサート２２及び弾性カバー１から離れないように回転できる。
【００２４】
前記結束バンド３は、軟質のゴム材料からなるものであり、弾性を有し、伸びることで伸長でき、かつ、締付時の摩擦力を向上させることができる。前記結束バンド３は、位置制限穴３１と、等間隔に設けられる複数の係止用穴３２とを有する。組立時に、前記結束バンド３の前記位置制限穴３１を広げて前記定位部２１２の徐々に小さくなるネック部にかけることができる。そして、前記凸フック２１１を１つの前記係止用穴３２に入れて、前記ブラケット２１を利用し、前記結束バンド３を乗り物４に巻き付けて固定することにより、素早く固定する目的を達成することができる。なお、前記乗り物４は、自転車又はバイクの棒状バー部、又はその他のハンドルバーであってもよい。
【００２５】
また、前記結束バンド３は、前記位置制限穴３１と前記結束バンド３の周縁との間に位置する滑り止め部３３を有する。前記滑り止め部３３は、複数の前記係止用穴３２から離れる一端に位置する。前記定位部２１２が前記位置制限穴３１に位置する場合に、前記滑り止め部３３が前記ブラケット２１の弧状内壁に位置する。この実施例では、前記結束バンド３を前記乗り物４の周りに巻き付けることにより、締付時の摩擦力を向上させることができる。
【００２６】
図５及び図６に示すように、乗り物４は、前記ブラケット２１の弧状内壁に置かれる。前記乗り物４は、自転車又はバイクの円形バー部であってもよい。その後、前記凸フック２１１を１つの前記係止用穴３２に入れると、結束バンド３を乗り物４の周りに巻き付けて固定することができる。図７及び図８に示すように、前記ポータブル電子製品５は、携帯電話であってもよく、その周囲に４つの角部５１を有する。弾性条１２及び下の２つの角部保護網１３を広げて下の２つの角部５１に覆い被せる。その後、上の２つの角部保護網１３を他の２つの角部５１に覆い被せる。このようにすると、前記ポータブル電子製品５の位置を固定することができる。
【００２７】
図８と図７を比べると、図８の弾性カバー１は広げられてサイズが大きくされることが明らかである。こんな弾性カバー１は、強いきつさでポータブル電子製品５をしっかり固定することができ、また、サイズが異なるポータブル電子製品５に適用することもできる。なお、前記ブラケット２１は、前記弾性カバー１に対して回転することができる。前記ブラケット２１を前記乗り物４に固定した時に、前記弾性カバー１を回転させることによって前記弾性カバー１の方向を調整することができる。これにより、ポータブル電子製品５の映像を便利に見ることができる。
【００２８】
上記をまとめて、本考案に係るポータブル電子製品保護ケースの固定装置によれば、前記弾性カバー１を広げて前記ポータブル電子製品５に覆い被せることにより、容易に固定・使用することができる。また、前記接続部品２を利用し、前記結束バンド３をバイク又は自転車等の乗り物４に巻き付けて固定することにより、容易にしっかり固定する目的を達成することができる。前記弾性カバー１は前記接続部品２に対して回転することができるため、ポータブル電子製品５の見る位置が調整可能となり、取り付けや使用の便利さを向上させることができる。
【００２９】
しかしながら、上記の実施例は、あくまで本考案の効果を説明するものに過ぎず、本考案を限定するものではない。当業者は、本考案の要旨を逸脱しない範囲において、上記の実施例を変更することができる。また、上記の実施例に記載する部品の数は例示に過ぎず、本考案を限定するものではない。本考案の保護範囲は、請求項の内容によって規定される。
【符号の説明】
【００３０】
１：弾性カバー
１１：支持部
１１１：第１表面
１１２：第２表面
１１３：第１穴
１２：弾性条
１３：角部保護網
１４：凹部
１４１：位置制限溝
２：接続部品
２１：ブラケット
２１１：凸フック
２１２：定位部
２１３：第２穴
２１４：軸部
２２：インサート
２２１：リブ
２２２：接続部
２２３：ネジ穴
２３：係止部
２４：ガスケット
３：結束バンド
３１：位置制限穴
３２：係止用穴
３３：滑り止め部
４：乗り物
５：ポータブル電子製品
５１：角部
【図１】
0003230586.tif 000003
【図２】
0003230586.tif 000004
【図３】
0003230586.tif 000005
【図４】
0003230586.tif 000006
【図５】
0003230586.tif 000007
【図６】
0003230586.tif 000008
【図７】
0003230586.tif 000009
【図８】
0003230586.tif 000010
【手続補正書】
【提出日】令和2年11月27日(2020.11.27)
【手続補正１】
【補正対象書類名】実用新案登録請求の範囲
【補正対象項目名】全文
【補正方法】変更
【補正の内容】
【実用新案登録請求の範囲】
【請求項１】
弾性を有し、伸びることで収容空間を増加し、かつ、一体成形した支持部、複数の弾性条、及び複数の角部保護網からなり、前記支持部は、互いに反対向きの第１表面及び第２表面を有し、前記第１表面は、ポータブル電子製品を置くために用いられ、前記角部保護網は、前記弾性条を介して前記支持部に接続され、複数の前記角部保護網で前記ポータブル電子製品の四隅を締めて、前記弾性条によって固定時のきつさを維持する弾性カバーと、
前記弾性カバーに取り付けられ、前記第２表面側に位置し、弧状の回転可能なブラケットを有し、前記弧状の両端にそれぞれ凸フック及び定位部を有する接続部品と、
弾性を有し、伸びる可能で、位置制限穴及び複数の係止用穴を有する結束バンドと、を含むポータブル電子製品保護ケースの固定装置であって、
前記結束バンドが前記位置制限穴によって前記定位部にかけて、前記凸フックを１つの前記係止用穴に入れることで、前記ブラケットを利用し、前記結束バンドを乗り物に巻き付けて固定することを特徴とする、ポータブル電子製品保護ケースの固定装置。
【請求項２】
前記支持部に第１穴を有し、前記ブラケットの中間位置に第２穴を有し、
前記接続部品は、インサート及び係止部をさらに有し、
前記インサート及び前記ブラケットは、それぞれ前記支持部の前記第１表面及び前記第２表面に位置し、
前記係止部は、前記第２穴及び前記第１穴を通って前記インサートに係止され、かつ、前記ブラケットの位置を制限するが、前記ブラケットの回転を妨げないことを特徴とする、請求項１に記載のポータブル電子製品保護ケースの固定装置。
【請求項３】
前記支持部は、さらに前記第１表面に凹部を形成し、
前記インサートは、前記凹部内に設けられ、
前記第１穴は、前記凹部内に貫通することを特徴とする、請求項２記載のポータブル電子製品保護ケースの固定装置。
【請求項４】
前記凹部は、さらに凹む複数の位置制限溝を形成し、
前記インサートにおける前記凹部に対向する方向に複数のリブを有し、
組立後に前記リブが前記位置制限溝内に位置することを特徴とする、請求項３に記載のポータブル電子製品保護ケースの固定装置。
【請求項５】
前記インサートは、中心にネジ穴を有する接続部を有し、
前記ブラケットは、軸部を有し、
前記第２穴は、前記軸部を貫通し、
組立時に前記接続部と前記軸部とは接続され、
前記係止部は、ねじであり、前記第２穴を通って前記ネジ穴に係止され、
これにより、前記ブラケットが前記インサートから離れないように回転できることを特徴とする、請求項２に記載のポータブル電子製品保護ケースの固定装置。
【請求項６】
前記弾性条は、条状又は網状となることを特徴とする、請求項１に記載のポータブル電子製品保護ケースの固定装置。
【請求項７】
前記結束バンドは、前記位置制限穴と前記結束バンドの周縁との間に位置する滑り止め部を有し、
前記定位部が前記位置制限穴に位置する場合に、前記滑り止め部が前記ブラケットの弧状内壁に位置し、巻き付ける時に前記結束バンドによって前記乗り物を包むことを特徴とする、請求項１に記載のポータブル電子製品保護ケースの固定装置。